【手続補正書】
【提出日】平成19年8月17日(2007.8.17)
【手続補正１】
【補正対象書類名】特許請求の範囲
【補正対象項目名】請求項１１
【補正方法】変更
【補正の内容】
【請求項１１】
不飽和シラン化合物がビニルトリメトキシシランまたはビニルトリエトキシシランである、請求項１０に記載の方法。
【手続補正２】
【補正対象書類名】明細書
【補正対象項目名】００１０
【補正方法】変更
【補正の内容】
【００１０】
シラン変性された本発明のメタロセンワックスは、ガラス繊維、天然繊維、例えばフラックスまたは麻または木粉を含有する熱可塑性樹脂、例えばポリアミド類、ポリエステルまたはポリオレフィン、例えばポリエチレンまたはポリプロピレンの混合物の状態で、繊維／マトリックス−接着性を向上させるための接着促進剤として適している。更に本発明のワックスは他の機能性表面、例えばガラス、金属、セルロースベースの表面、例えば紙、厚紙等を被覆するのにも適している。
【手続補正３】
【補正対象書類名】明細書
【補正対象項目名】００３７
【補正方法】変更
【補正の内容】
【００３７】
R1 および R2 は互いに同じでも異なっていてもよく、それぞれ水素原子、C1-C10−、好ましくはC1-C3−アルキル基、特にメチル基、 C1-C10−、好ましくはC1-C3−アルコキシル基、C6-C10−、好ましくはC6-C8−アリール基、C6-C10−、好ましくはC6-C8−アリールオキシ基、C2-C10−、好ましくはC2-C4−アルケニル基、C7-C40−、好ましくは C7-C10−アリールアルキル基、C7-C40−、好ましくは C7-C12−アルキルアリール基、 C8-C40−、好ましくは C8-C12−アリールアルケニル基またはハロゲン原子、好ましくは塩素原子である。
【手続補正４】
【補正対象書類名】明細書
【補正対象項目名】００３９
【補正方法】変更
【補正の内容】
【００３９】
R5、 R6 、R7 、R8 、R9 およびR10 は互いに同じでも異なっていてもよく、それぞれ水素原子、ハロゲン原子、好ましくはフッ素原子、塩素原子または臭素原子、C1-C10− 、好ましくはC1-C4 −アルキル基、C6-C10−、好ましくはC6-C8−アリール基、C1-C10−、好ましくは C1-C3−アルコキシ基、 -NR162  基、-SR16基、-OSiR163基、-SiR163または -PR162基であり、その際にR16は C1-C10−、好ましくはC1-C3−アルキル基またはC6-C10−、好ましくはC6-C8−アリール基等であり、Si または Pを含有する基の場合にはハロゲン原子、好ましくは塩素原子、または互いに隣接する基R5、R6、R7、 R8、R9 または R10 の対がそれらが結合する炭素原子と一緒に環を形成する。特に有利な配位子は親構造のシクロペンタジエニル、インデニル、テトラヒドロインデニル、ベンゾインデニルまたはフルオレニルが置換された化合物である。
【手続補正５】
【補正対象書類名】明細書
【補正対象項目名】００４７
【補正方法】変更
【補正の内容】
【００４７】
適するメタロセンの例には以下のものがある：
ビス(1，2，3-トリメチルシクロペンタジエニル)ジルコニウム−ジクロライド、ビス(1，2，4-トリメチルシクロペンタジエニル)ジルコニウム−ジクロライド、ビス(1，2-ジメチルシクロペンタジエニル)ジルコニウム−ジクロライド、
ビス(1，3-ジメチルシクロペンタジエニル)ジルコニウム−ジクロライド、
ビス (1-メチルインデニル)ジルコニウム-ジクロライド、
ビス(1-n-ブチル-3-メチルシクロペンタジエニル)ジルコニウム-ジクロライド、ビス(2-メチル-4，6-ジイソプロピルインデニル)ジルコニウム-ジクロライド、ビス(2-メチルインデニル)ジルコニウム-ジクロライド、
ビス(4-メチルインデニル)ジルコニウム-ジクロライド、
ビス(5-メチルインデニル)ジルコニウム-ジクロライド、
ビス(アルキルシクロペンタジエニル)ジルコニウム-ジクロライド、
ビス(アルキルインデニル)ジルコニウム-ジクロライド、
ビス(シクロペンタジエニル)ジルコニウム-ジクロライド、
ビス(インデニル)ジルコニウム-ジクロライド、
ビス(メチルシクロペンタジエニル)ジルコニウム-ジクロライド、
ビス(n-ブチルシクロペンタジエニル)ジルコニウム-ジクロライド、
ビス(オクタデシルシクロペンタジエニル)ジルコニウム-ジクロライド、
ビス(ペンタメチルシクロペンタジエニル)ジルコニウム-ジクロライド、
ビス(トリメチルシリルシクロペンタジエニル)ジルコニウム-ジクロライド、
ビスシクロペンタジエニルジルコニウムジベンジル、
ビスシクロペンタジエニルジルコニウム-ジメチル、
ビステトラヒドロインデニルジルコニウム-ジクロライド、
ジメチルシリル-9-フルオレニルシクロペンタジエニルジルコニウム-ジクロライド、
ジメチルシリルビス-1-(2，3，5-トリメチルシクロペンタジエニル)ジルコニウム-ジクロライド、 
ジメチルシリルビス-1-(2，4-ジメチルシクロペンタジエニル)ジルコニウム-ジクロライド、 
ジメチルシリルビス-1-(2-メチル-4，5-ベンゾインデニル)ジルコニウム-ジクロライド、
ジメチルシリルビス-1-(2-メチル-4-エチルインデニル)ジルコニウム-ジクロライド、
ジメチルシリルビス-1-(2-メチル-4-イソプロピルインデニル)ジルコニウム-ジクロライド、 
ジメチルシリルビス-1-(2-メチル-4-フェニルインデニル)ジルコニウム-ジクロライド、
ジメチルシリルビス-1-(2-メチルインデニル)ジルコニウム-ジクロライド、 
ジメチルシリルビス-1-(2-メチルテトラヒドロインデニル)ジルコニウム-ジクロライド、 
ジメチルシリルビス-1-インデニルジルコニウム-ジクロライド、 
ジメチルシリルビス-1-インデニルジルコニウム- ジメチル、 
ジメチルシリルビス-1-テトラヒドロインデニルジルコニウム-ジクロライド、 ジフェニルメチレン-9-フルオレニルシクロペンタジエニルジルコニウム-ジクロライド、
ジフェニルシリルビス-1-インデニルジルコニウム-ジクロライド、 
エチレンビス-1-(2-メチル-4，5-ベンゾインデニル)ジルコニウム-ジクロライド、
エチレンビス-1-(2-メチル-4-フェニルインデニル)ジルコニウム-ジクロライド、
エチレンビス-1-(2-メチルテトラヒドロインデニル)ジルコニウム-ジクロライド、 
エチレンビス-1-(4、7-ジメチルインデニル)ジルコニウム-ジクロライド、 
エチレンビス-1-インデニルジルコニウム-ジクロライド、 
エチレンビス-1-テトラヒドロインデニルジルコニウム-ジクロライド、 
インデニルシクロペンタジエニルジルコニウム-ジクロライド
イソプロピリデン (1-インデニル)(シクロペンタジエニル)ジルコニウム-ジクロライド、 
イソプロピリデン (9-フルオレニル)(シクロペンタジエニル)ジルコニウム-ジクロライド、 
フェニルメチルシリルビス-1-(2-メチルインデニル)ジルコニウム-ジクロライド、 
およびこれらのメタロセン-ジクロライドの各々のアルキルまたはアリール誘導体。
【手続補正６】
【補正対象書類名】明細書
【補正対象項目名】００５３
【補正方法】変更
【補正の内容】
【００５３】
変性反応は遊離基開始剤の存在下に実施する。この目的に適する化合物は変性反応条件のもとで十分な程度に遊離基に分解するものである。特に適するのは有機過酸化物、例えばアルキル−、アリール−またはアルアルキル過酸化物、例えばジ-第三ブチルペルオキシドまたはジクミルペルオキシド、ペルオキシエステル、例えば第三ブチルペルアセテートまたは第三ブチルペルベンゾエート、またはヒドロペルオキシド類、例えば第三ブチル−ヒドロペルオキシドまたはクメンヒドロペルオキシドである。別の可能な遊離基開始剤は脂肪族アゾ化合物、例えばアゾビス(2-メチルプロピオニトリル) または 2，2‘-アゾビス(2，4-ジメチルバレロニトリル)である。ジアルキルペルオキシド類、およびジ-第三ブチルペルオキシドが特に有利である。遊離基開始剤は、使用されるポリオレフィンワックスを基準として0.1 〜10重量％の濃度で使用される。